(57)【特許請求の範囲】
【請求項１】
励磁コイルへの電流の供給又は遮断により可動接点が固定接点に対して開動作と閉動作することにより電力系統の電力の負荷への供給遮断を行う電力量計の開閉器の接点状態検出方法であって、
前記可動接点が開動作から閉動作のとき、１回目の駆動信号により前記可動接点が切り替わるときの前記励磁コイルの第１電流波形を取得し、
前記可動接点が閉動作のとき、２回目の駆動信号により前記励磁コイルの第２電流波形を取得し、  
前記第１電流波形と前記第２電流波形との差に基づき前記可動接点の閉動作が行われたかどうかを検出することを特徴とする電力量計の開閉器の接点状態検出方法。
【請求項２】
励磁コイルへの電流の供給又は遮断により可動接点が固定接点に対して開動作と閉動作することにより電力系統の電力の負荷への供給遮断を行う電力量計の開閉器の接点状態検出方法であって、
前記可動接点が閉動作のとき、１回目の駆動信号により前記励磁コイルの第１電流波形を取得し、
前記可動接点が閉動作のとき、２回目の駆動信号により前記励磁コイルの第２電流波形を取得し、  
前記第１電流波形と前記第２電流波形との差に基づき前記可動接点の閉動作が行われたかどうかを検出することを特徴とする電力量計の開閉器の接点状態検出方法。
【請求項３】
励磁コイルへの電流の供給又は遮断により可動接点が固定接点に対して開動作と閉動作することにより電力系統の電力の負荷への供給遮断を行う電力量計の開閉器の接点状態検出方法であって、
前記可動接点が閉動作から開動作のとき、１回目の駆動信号により前記可動接点が切り替わるときの前記励磁コイルの第１電流波形を取得し、
前記可動接点が開動作のとき、２回目の駆動信号により前記励磁コイルの第２電流波形を取得し、  
前記第１電流波形と前記第２電流波形との差に基づき前記可動接点の開動作が行われたかどうかを検出することを特徴とする電力量計の開閉器の接点状態検出方法。
【請求項４】
励磁コイルへの電流の供給又は遮断により可動接点が固定接点に対して開動作と閉動作することにより電力系統の電力の負荷への供給遮断を行う電力量計の開閉器の接点状態検出方法であって、
前記可動接点が開動作のとき、１回目の駆動信号により前記可動接点が切り替わるときの前記励磁コイルの第１電流波形を取得し、
前記可動接点が開動作のとき、２回目の駆動信号により前記励磁コイルの第２電流波形を取得し、  
前記第１電流波形と前記第２電流波形との差に基づき前記可動接点の開動作が行われたかどうかを検出することを特徴とする電力量計の開閉器の接点状態検出方法。
【請求項５】
前記第１電流波形と前記第２電流波形との少なくとも一方の電流波形の振幅値が所定値を超えたかどうかを判定し、前記電流波形の振幅値が前記所定値を超えた状態が所定時間継続している場合には、異常と判断することを特徴とする請求項１乃至４のいずれか１項記載の電力量計の開閉器の接点状態検出方法。
【請求項６】
前記第１電流波形の電流値と前記第２電流波形の電流値とが閾値を下回っている場合には、前記可動接点が開動作又は閉動作できないと判別することを特徴とする請求項１乃至４のいずれか１項記載の電力量計の開閉器の接点状態検出方法。
【請求項７】
励磁コイルへの電流の供給又は遮断により可動接点が固定接点に対して開動作と閉動作することにより電力系統の電力の負荷への供給遮断を行う電力量計の開閉器駆動回路であって、
前記可動接点が開動作から閉動作のとき、１回目の駆動信号により前記可動接点が切り替わるときの前記励磁コイルの第１電流波形を取得し、前記可動接点が閉動作のとき、２回目の駆動信号により前記励磁コイルの第２電流波形を取得する電流センサと、  
前記第１電流波形と前記第２電流波形との差に基づき前記可動接点の閉動作が行われたかどうかを検出する開閉動作検出部とを備えることを特徴とする電力量計の開閉器駆動回路。
【発明の詳細な説明】
【技術分野】
【０００１】
本発明は、電力量計の開閉器の接点状態検出方法及び電力量計の開閉器駆動回路に関する。
【背景技術】
【０００２】
従来の技術として、例えば、特許文献１に記載された電磁継電器の異常検出方法が知られている。電磁継電器の異常検出方法は、励磁コイルへの電流の供給又は遮断に伴って発生する電磁力によって可動接点と固定接点とが閉成又は開成する。
【０００３】
可動接点が固定接点に対して動作していない状態で、第１検出パルス信号を供給したときの励磁コイルのコイル電流の第１過渡応答信号と、可動接点が固定接点に対して動作している状態で、第２検出パルス信号を供給したときのコイル電流の第２過渡応答信号との少なくとも一方に基づいて、可動接点の固定接点に対する動作異常を検出する。
【０００４】
また、電力量計に用いられる開閉器は、電源側と負荷との間に設けられ、可動接点が開閉することにより電力系統の電力の負荷への供給遮断を行う。可動接点は固定接点に対して開動作と閉動作とを多数回繰り返している。
【先行技術文献】
【特許文献】
【０００５】
【特許文献１】特許第５６６０２３６号公報
【発明の概要】
【発明が解決しようとする課題】
【０００６】
しかしながら、開閉器は、開閉動作が増えるにつれて劣化していく。このため、開閉動作回数を把握しておく必要がある。開閉指示の回数をソフトウェアでカウントしているが、実際に動作した回数が開閉指示の回数とは異なる場合がある。このため、開閉指示に対する開閉器の接点の状態を検出して、正確な開閉動作回数を把握することが望まれる。
【０００７】
本発明の課題は、開閉器の接点の状態を検出して、正確な開閉動作回数を把握することができる電力量計の開閉器の接点状態検出方法及び開閉器駆動回路を提供する。
【課題を解決するための手段】
【０００８】
上記課題を解決するために、本発明に係る請求項１は、励磁コイルへの電流の供給又は遮断により可動接点が固定接点に対して開動作と閉動作することにより電力系統の電力の負荷への供給遮断を行う電力量計の開閉器の接点状態検出方法であって、前記可動接点が開動作から閉動作のとき、１回目の駆動信号により前記可動接点が切り替わるときの前記励磁コイルの第１電流波形を取得し、前記可動接点が閉動作のとき、２回目の駆動信号により前記励磁コイルの第２電流波形を取得し、前記第１電流波形と前記第２電流波形との差に基づき前記可動接点の閉動作が行われたかどうかを検出することを特徴とする。
【０００９】
請求項２は、励磁コイルへの電流の供給又は遮断により可動接点が固定接点に対して開動作と閉動作することにより電力系統の電力の負荷への供給遮断を行う電力量計の開閉器の接点状態検出方法であって、前記可動接点が閉動作のとき、１回目の駆動信号により前記励磁コイルの第１電流波形を取得し、前記可動接点が閉動作のとき、２回目の駆動信号により前記励磁コイルの第２電流波形を取得し、前記第１電流波形と前記第２電流波形との差に基づき前記可動接点の閉動作が行われたかどうかを検出することを特徴とする。
【００１０】
請求項３は、励磁コイルへの電流の供給又は遮断により可動接点が固定接点に対して開動作と閉動作することにより電力系統の電力の負荷への供給遮断を行う電力量計の開閉器の接点状態検出方法であって、前記可動接点が閉動作から開動作のとき、１回目の駆動信号により前記可動接点が切り替わるときの前記励磁コイルの第１電流波形を取得し、前記可動接点が開動作のとき、２回目の駆動信号により前記励磁コイルの第２電流波形を取得し、前記第１電流波形と前記第２電流波形との差に基づき前記可動接点の開動作が行われたかどうかを検出することを特徴とする。
【００１１】
請求項４は、励磁コイルへの電流の供給又は遮断により可動接点が固定接点に対して開動作と閉動作することにより電力系統の電力の負荷への供給遮断を行う電力量計の開閉器の接点状態検出方法であって、前記可動接点が開動作のとき、１回目の駆動信号により前記可動接点が切り替わるときの前記励磁コイルの第１電流波形を取得し、前記可動接点が開動作のとき、２回目の駆動信号により前記励磁コイルの第２電流波形を取得し、前記第１電流波形と前記第２電流波形との差に基づき前記可動接点の開動作が行われたかどうかを検出することを特徴とする。
【００１２】
請求項５は、前記第１電流波形と前記第２電流波形との少なくとも一方の電流波形の振幅値が所定値を超えたかどうかを判定し、前記電流波形の振幅値が前記所定値を超えた状態が所定時間継続している場合には、異常と判断する。
【００１３】
請求項６は、前記第１電流波形の電流値と前記第２電流波形の電流値とが閾値を下回っている場合には、前記可動接点が開動作又は閉動作できないと判別することを特徴とする。
【００１４】
請求項７は、励磁コイルへの電流の供給又は遮断により可動接点が固定接点に対して開動作と閉動作することにより電力系統の電力の負荷への供給遮断を行う電力量計の開閉器駆動回路であって、前記可動接点が開動作から閉動作のとき、１回目の駆動信号により前記可動接点が切り替わるときの前記励磁コイルの第１電流波形を取得し、前記可動接点が閉動作のとき、２回目の駆動信号により前記励磁コイルの第２電流波形を取得する電流センサと、前記第１電流波形と前記第２電流波形との差に基づき前記可動接点の閉動作が行われたかどうかを検出する開閉動作検出部とを備えることを特徴とする。
【発明の効果】
【００１５】
請求項１によれば、可動接点が開動作から閉動作時の１回目の駆動信号による第１電流波形と、可動接点が閉動作時の２回目の駆動信号による第２電流波形との差に基づき可動接点の閉動作が行われたかどうかを検出する。即ち、開閉器の接点の状態を検出して、正確な開閉動作回数を把握することができる。
【００１６】
請求項２によれば、可動接点が閉動作時の１回目の駆動信号による第１電流波形と、可動接点が閉動作時の２回目の駆動信号による第２電流波形との差に基づき可動接点の閉動作が行われたかどうかを検出する。即ち、開閉器の接点の状態を検出して、正確な開閉動作回数を把握することができる。
【００１７】
請求項３によれば、可動接点が閉動作から開動作時の１回目の駆動信号による第１電流波形と、可動接点が開動作時の２回目の駆動信号による第２電流波形との差に基づき可動接点の開動作が行われたかどうかを検出する。即ち、開閉器の接点の状態を検出して、正確な開閉動作回数を把握することができる。
【００１８】
請求項４によれば、可動接点が開動作時の１回目の駆動信号による第１電流波形と、可動接点が開動作時の２回目の駆動信号による第２電流波形との差に基づき可動接点の開動作が行われたかどうかを検出する。即ち、開閉器の接点の状態を検出して、正確な開閉動作回数を把握することができる。
【００１９】
請求項５によれば、電流波形の振幅値が所定値を超えた状態が所定時間継続している場合には、開閉器の異常と判断することができる。
【００２０】
請求項６によれば、第１電流波形の電流値と第２電流波形の電流値とが閾値を下回っている場合には、可動接点が開動作又は閉動作できないと判別することができる。
【００２１】
請求項７によれば、請求項１の効果と同様な効果が得られる。
【図面の簡単な説明】
【００２２】
【図１】本発明の第１の実施形態に係る電力量計の開閉器を示す図である。
【図２】本発明の第１の実施形態に係る電力量計の開閉器駆動回路を示す図である。
【図３】本発明の第１の実施形態に係る電力量計の開閉器の接点の状態検出・異常検出を示すフローチャートである。
【図４】本発明の第１の実施形態に係る電力量計の開閉器の開動作から閉動作に切り替わる時の電流波形と閉動作時の安定状態の電流波形とを示す図である。
【図５】の第１の実施形態に係る電力量計の開閉器の閉動作の電流波形と閉動作時の安定状態の電流波形とを示す図である。
【図６】本発明の第１の実施形態に係る電力量計の開閉器の閉動作の検出を説明するフローチャートである。
【図７】本発明の第１の実施形態に係る電力量計の開閉器の閉動作から開動作に切り替わる時の電流波形と開動作時の安定状態の電流波形とを示す図である。
【図８】本発明の第１の実施形態に係る電力量計の開閉器の開動作から開動作に切り替わる時の電流波形と動作後の安定状態の電流波形とを示す図である。
【図９】本発明の第１の実施形態に係る電力量計の開閉器の閉動作の検出を説明するフローチャートである。
【図１０】本発明の第２の実施形態に係る電力量計の開閉器の異常時の電流波形を示す図である。
【図１１】本発明の第２の実施形態に係る電力量計の開閉器の異常検知のフローチャートである。
【図１２】本発明の第３の実施形態に係る電力量計の開閉器の接点溶着時の閉動作から開動作の電流波形を示す図である。
【発明を実施するための形態】
【００２３】
以下、本発明の実施の形態に係る電力量計の開閉器の接点状態検出方法及び開閉器について、図面を参照しながら詳細に説明する。
（第１の実施形態）
図１に第１の実施形態に係る電力量計の開閉器の構成図を示す。電力量計は、電力系統の系統電圧と電流を検出し、検出された電圧と電流とに基づき電力を演算する。電力量計は、図１に示すような開閉器１を備えている。
【００２４】
開閉器１は、図２に示すように、ラッチングリレーからなり、電源側１Ｓと負荷１Ｌとの間に設けられ、可動接点が固定接点に対して開閉することにより電力系統の電力の負荷１Ｌへの供給遮断を行う。
【００２５】
開閉器１は、図１に示すように、励磁コイル１１と、鉄心１２と、永久磁石１３と、接点１５と、永久磁石１３と接点１５とを連結する連結部１４とを備えている。接点１５は、固定接点１５ａと可動接点１５ｂとからなる。
【００２６】
コの字状の鉄心１２には励磁コイル１１が巻回されており、鉄心１２のギャップ部には永久磁石１３が挿通されている。永久磁石１３のＳ極と接点１５とは連結部１４により連結されている。接点１５は、固定接点１５ａと、連結部１４により連結された可動接点１５ｂとからなる。
【００２７】
励磁コイル１１に励磁電流を一方向に流すと、電磁力が発生して、電磁力により鉄心１２のギャップ部の一方にＮ極が発生し、ギャップ部の他方にＳ極が発生する。このため、永久磁石１３のＮ極がギャップ部のＳ極に引き寄せられ、永久磁石１３のＳ極がギャップ部のＮ極に引き寄せられる。このため、可動接点１５ｂが固定接点１５ａに対して閉動作する。
【００２８】
一方、励磁コイル１１に励磁電流を一方向とは逆方向に流すと、鉄心１２のギャップ部の一方にＳ極が発生し、ギャップ部の他方にＮ極が発生する。このため、永久磁石１３のＮ極がギャップ部のＮ極から離れ、永久磁石１３のＳ極がギャップ部のＳ極から離れる。このため、可動接点１５ｂが固定接点１５ａに対して開動作する。
【００２９】
図２は、本発明の第１の実施形態に係る電力量計の開閉器駆動回路を示す図である。開閉器駆動回路は、開閉器１を駆動するものであって、開閉器１、ＣＰＵ２、トライアック３、電流センサ４，５を備える。ＣＰＵ２は、駆動信号を２回連続してトライアック３に出力し、励磁コイル１１に励磁電流を流させて、接点１５を切り替え動作させる。
【００３０】
電源側１Ｓと電源側２Ｓとの間には、トライアック３と励磁コイル１１と電流センサ４との直列回路が接続されている。電流センサ４は、励磁コイル１１に流れる電流を検出し、検出電流を過渡応答信号としてＣＰＵ２に出力する。ＣＰＵ２は、電流センサ４からの２つの電流波形をＡＤ（アナログデジタル）変換して２つのデジタル信号を比較することで、ソフトウェアによって接点１５の固定接点１５ａに対する可動接点１５ｂの開閉動作状態を判別する。
【００３１】
電流センサ５は、電源側１Ｓと負荷１Ｌとの間に開閉器１に直列に接続されて設けられている。電流センサ５は、接点が閉動作している時に電源側１Ｓから負荷１Ｌに流れる電流を検出する。電流センサ４，５としては、磁気センサやカレントトランス（ｃｔ）等がある。また、電流センサ４としては、コストや製造性の観点から基板に実装できるチップ抵抗器（シャント抵抗）が好ましい。
（電力量計の開閉器の接点状態検出方法の基本原理）
電力量計の開閉器１の接点状態検出方法は、開閉器１の接点１５の状態によって変化する励磁コイル１１に流れる電流波形から開閉器１の接点１５の開動作又は閉動作状態を検出する。接点１５の開状態（閉状態）を閉状態（開状態）に切り替えるとき、励磁コイル１１と鉄心１２とからなる電磁石の極性が反転することで自己誘導による逆起電力が発生する。このため、接点１５が安定しているときに比べて励磁コイル１１に流れる電流が減少する。
【００３２】
この原理を利用するため、駆動信号を２回連続して入力し、それぞれの電流波形をＡＤ変換し比較することで、ソフトウェアによって接点１５の状態を判別する。この検出方法であれば、励磁コイル１１の個体差や温度による変化の影響を吸収できる。この例では、ＡＣ（交流）駆動時の電流波形を用いて説明する。ＤＣ（直流）駆動の場合においても同様に接点１５の状態を検出することができる。さらに、ＤＣ駆動の場合には励磁電流のパルス幅の制御が容易であるため、接点１５が動作しない駆動信号を印加して接点１５の状態を検出することができる。
（ソフトウェア処理）
図３は、第１の実施形態に係る電力量計の開閉器の接点１５の状態検出・異常検知を示すフローチャートである。図２に示す電力量計の開閉器駆動回路は、接点１５の開閉動作時又は定期的に接点１５の状態検出・異常検知の処理を実行する。
【００３３】
まず、ＣＰＵ２が駆動信号を２回連続してトライアック３に印加すると、励磁コイル１１に励磁電流が２回連続して流れる。電流センサ４は、励磁コイル１１に流れる２回連続した電流を計測する（ステップＳ１１）。
【００３４】
次に、ＣＰＵ２は、電流センサ４からの２つの電流波形をＡＤ変換して２つのデジタル信号を比較することで、ソフトウェアによって接点状態、即ち接点の閉動作又は開動作を判定する（ステップＳ１２）。判定処理としては、ある時間において、電流値と閾値との比較を行う方法、ある区間の積分値を比較する方法、電流波形の類似度で判定する。ＣＰＵ２は、接点の開動作又は閉動作を検出する開閉動作検出部を構成する。
【００３５】
ＣＰＵ２は、接点１５の状態に異常がなければ（ステップＳ１３）、接点１５の開動作又は閉動作の状態をメモリに記憶する（ステップＳ１４）。そして、ＣＰＵ２は、接点状態の判定に用いる閾値を更新しておく（ステップＳ１５）。
【００３６】
定期的に閾値を更新することで、経年変化や設置環境の影響を吸収することができる。また、上記検出方法を用いて判定を行う際、電力量計の初期化時、または前回動作時にメモリに記録されている接点状態と比較することで、メモリ情報との不一致がないか確認することができる。
【００３７】
一方、ステップＳ１３において、ＣＰＵ２は、接点１５の状態に異常がある場合には、異常の状態を通知する（ステップＳ１６）。
（接点の状態検出方法）
次に電力量計の開閉器の接点状態検出方法を説明する。電力量計の開閉器の接点状態検出方法は、励磁コイル１１への電流の供給又は遮断により可動接点１５ｂが固定接点１５ａに対して開動作と閉動作することにより電力系統の電力の負荷への供給遮断を行う。
（接点の閉動作の検出）
まず、接点１５の閉動作を図４〜図６を参照しながら説明する。可動接点１５ｂが開動作から閉動作のとき、ＣＰＵ２は、１回目の駆動信号をトライアック３を介して励磁コイル１１に印加する。
【００３８】
１回目の駆動信号により可動接点１５ｂが開動作から閉動作に切り替わるときの励磁コイル１１の第１電流波形を電流センサ４により取得する。可動接点１５ｂが閉動作のとき、２回目の駆動信号により励磁コイル１１の第２電流波形を電流センサ４により取得する。図４に示すように、ＣＰＵ２は、電流センサ４からの第１電流波形の振幅値と第２電流波形の振幅値との差が所定値以上であることから可動接点１５ｂの閉動作が行われたと判定する。即ち、開閉器の接点の状態を検出して、正確な開閉動作回数を把握することができる。
【００３９】
また、既に可動接点１５ｂが閉じていた場合について、図６のフローチャートを参照しながら説明する。ＣＰＵ２は、閉制御信号の第１波をトライアック３を介して励磁コイル１１に送出する（ステップＳ２１）。
【００４０】
電流センサ４は、励磁コイル１１に流れる電流（過渡応答信号）の計測を開始する（ステップＳ２２）。開閉器は、接点１５の閉動作を開始する（ステップＳ２３）。
【００４１】
次に、ＣＰＵ２は、閉制御信号の第２波をトライアック３を介して励磁コイル１１に送出する（ステップＳ２４）。
【００４２】
開閉器は、接点１５の閉動作を開始し（ステップＳ２５）、その後、励磁コイル１１に流れる電流の計測を終了する（ステップＳ２６）。そして、ＣＰＵ２は、電流センサ４からの第１電流波形の振幅値と第２電流波形の振幅値とが図５に示すように、同じ安定状態の電流波形で差異がないと判定する（ステップＳ２７）。これにより、接点１５の可動接点１５ｂが閉動作していることがわかる。即ち、開閉器の接点の状態を検出して、正確な開閉動作回数を把握することができる。
（接点の開動作の検出）
次に、接点１５の開動作を図７〜図９を参照しながら説明する。可動接点１５ｂが閉動作から開動作のとき、ＣＰＵ２は、１回目の駆動信号をトライアック３を介して励磁コイル１１に印加する。
【００４３】
１回目の駆動信号により可動接点１５ｂが閉動作から開動作に切り替わるときの励磁コイル１１の第１電流波形を電流センサ４により取得する。可動接点１５ｂが開動作のとき、２回目の駆動信号により励磁コイル１１の第２電流波形を電流センサ４により取得する。図７に示すように、ＣＰＵ２は、電流センサ４からの第１電流波形の振幅値と第２電流波形の振幅値との差が所定値以上であることから可動接点１５ｂの開動作が行われたと判定する。即ち、開閉器の接点の状態を検出して、正確な開閉動作回数を把握することができる。
【００４４】
また、既に可動接点１５ｂが開いていた場合について、図９のフローチャートを参照しながら説明する。ＣＰＵ２は、開制御信号の第１波をトライアック３を介して励磁コイル１１に送出する（ステップＳ３１）。
【００４５】
電流センサ４は、励磁コイル１１に流れる電流（過渡応答信号）の計測を開始する（ステップＳ３２）。開閉器は、接点１５の開動作を開始する（ステップＳ３３）。
【００４６】
次に、ＣＰＵ２は、開制御信号の第２波をトライアック３を介して励磁コイル１１に送出する（ステップＳ３４）。
【００４７】
開閉器は、接点１５の開動作を開始し（ステップＳ３５）、その後、励磁コイル１１に流れる電流の計測を終了する（ステップＳ３６）。そして、ＣＰＵ２は、電流センサ４からの第１電流波形の振幅値と第２電流波形の振幅値とが図８に示すように、同じ安定状態の電流波形で差異がないと判定する（ステップＳ３７）。これにより、接点１５の可動接点１５ｂが開動作していることがわかる。即ち、開閉器の接点の状態を検出して、正確な開閉動作回数を把握することができる。
（第２の実施形態）
本発明の第２の実施形態に係る電力量計の開閉器は、ＣＰＵ２に電流が流れ続けている場合には、異常と判断したものである。
【００４８】
図１０は、本発明の第２の実施形態に係る電力量計の開閉器の異常時の電流波形を示す図である。図１１のフローチャートを参照しながら、開閉器の異常検知を説明する。
【００４９】
まず、ＣＰＵ２は、駆動信号をトライアック３を介して励磁コイル１１に送出する。電流センサ４は、励磁コイル１１に流れる電流の計測を行う（ステップｓ４１）。ＣＰＵ２は、電流センサ４からの電流波形の振幅値が所定値を超えたかどうかを判定する（ステップＳ４２）。
【００５０】
ＣＰＵ２は、図１０に示すような電流波形のように、電流波形の振幅値が所定値を超えた状態が所定時間継続している場合には、異常と判断する（ステップＳ４３）。さらに、ＣＰＵ２は、異常状態の解除を行う（ステップＳ４４）。
（第３の実施形態）
接点の溶着等により接点の開動作ができない場合、機構の不具合などで接点の閉動作できない場合には、1回目の駆動信号で接点状態が変わらない。このため、２回連続して駆動信号を励磁コイル１１に印加した場合、電流が低下した時の波形が取得される。
【００５１】
このとき、二つの電流波形には差異はないが、図１２に示すように二つとも電流値が図７、図８に示す電流値に対して、下がっている（両方とも安定状態と異なる）。このため、ＣＰＵ２は、電流値が閾値を下回っている場合には接点１５の開動作又は閉動作できないと判別することができる。これも極性が反転するだけなので、接点１５の開閉いずれの状態でも判別することができる。
【００５２】
また、永久磁石１３の回転と連動させるための連結部１４が何らかの理由で外れたことによる接点１５が閉動作不可の場合がある。励磁コイル１１の電流波形は、正常時の電流波形と変わらないため、異常検知ができない。
【００５３】
しかしながら、この状況に陥った場合、接点１５に繋がっている導体には応力がかかっており、支えが外れた場合はニュートラル状態になるのが普通である。ニュートラル状態が“閉”の開閉器を採用しておけば、電力量計は、図２に示す１Ｓ−１Ｌ間の電流を電流センサ５で検出している。
【００５４】
このため、開指令の後に１Ｓ−１Ｌ間に電流が流れていることで、電流センサ５によりこの異常を検知することができる。ニュートラル状態が“開”の場合、断定はできないが、逆の考え方で異常の疑いを知ることができる。
【符号の説明】
【００５５】
１  開閉器
２  ＣＰＵ
３  トライアック
４，５  電流センサ
１１  励磁コイル
１２  鉄心
１３  永久磁石
１４  連結部
１５  接点
１５ａ  固定接点
１５ｂ  可動接点
【要約】
【課題】開閉器の接点の状態を検出して、正確な開閉動作回数を把握できる電力量計の接点状態検出方法及び電力量計の開閉器駆動回路。
【解決手段】励磁コイル１１への電流の供給又は遮断により可動接点１５ｂが固定接点１５ａに対して開動作と閉動作することにより電力系統の電力の負荷１Ｌ，２Ｌへの供給遮断を行う電力量計の開閉器駆動回路であって、可動接点１５ｂが開動作から閉動作のとき、１回目の駆動信号により可動接点１５ｂが切り替わるときの励磁コイル１１の第１電流波形を取得し、可動接点１５ｂが閉動作のとき、２回目の駆動信号により励磁コイル１１の第２電流波形を取得する電流センサ４と、電流センサ４で検出された第１電流波形と第２電流波形との差に基づき可動接点の閉動作が行われたかどうかを検出するＣＰＵ２とを備える。
【選択図】図２【図１】
0006933786.tif 000002
【図２】
0006933786.tif 000003
【図３】
0006933786.tif 000004
【図４】
0006933786.tif 000005
【図５】
0006933786.tif 000006
【図６】
0006933786.tif 000007
【図７】
0006933786.tif 000008
【図８】
0006933786.tif 000009
【図９】
0006933786.tif 000010
【図１０】
0006933786.tif 000011
【図１１】
0006933786.tif 000012
【図１２】
0006933786.tif 000013